(57)【特許請求の範囲】
【請求項１】
ステータ及び回転軸を中心にして前記ステータの外側を回転するロータを有し、前記ロータが前記回転軸に固定された底壁部及び該底壁部の外縁部から前記回転軸の軸線方向に延びる周壁部を有するカップ状部材と前記カップ状部材の周壁部の内側に固定されて前記ステータのステータ側磁極と対向するロータ側磁極とを有している電動モータと、
前記電動モータの前記ロータの前記カップ状部材の外側に固定された固定部、前記固定部に固定され且つ前記回転軸の径方向に延びるブレード支持体及び前記モータの前記回転軸の軸線方向の一方から空気を吸い込み前記回転軸の径方向に空気を吐出すように前記ブレード支持体に固定された複数枚のブレードを備えたインペラと、
前記回転軸の軸線方向の前記一方の方向に向かって開口する吸引口を備えた第１の側壁、前記第１の側壁に対して前記回転軸の軸線方向の他方の方向に位置し且つ前記第１の側壁との間に所定の間隔を開けて配置された第２の側壁及び前記第１及び第２の側壁を連結し且つ前記第１及び第２の側壁の間に前記インペラの回転方向に対する接線方向に向かって開口する１つの吐出口に前記インペラから吐出された空気を導く風路を形成する周壁を有し、前記モータ及び前記インペラを収納するケーシングとを具備し、
前記ステータが前記第２の側壁に対して固定され、前記ロータの前記カップ状部材が前記底壁部を前記第１の側壁に設けた前記吸引口側に向けるように前記ケーシング内に前記モータが配置されている遠心ファンであって、
前記ケーシングの前記第２の側壁及び前記インペラの前記ブレード支持体の前記軸線方向に対向するそれぞれの対向壁部は、前記カップ状部材と前記第２の側壁との間に形成される空間内に前記回転軸の径方向外側から水が浸入するのを阻止するためのラビリンス構造を形成する形状を有しており、
前記ブレード支持体には前記対向壁部の反対側の位置に前記複数枚のブレードが取付けられていることを特徴とする遠心ファン。
【請求項２】
前記第２の側壁の前記対向壁部には、前記軸線方向の前記一方の方向に向かって突出して且つ前記回転軸と同心的に配置された複数の円筒状の突条部が一体に形成され、
前記インペラの前記対向壁部には、前記軸線方向の前記他方の方向に向かって突出し、前記回転軸と同心的に配置され且つ前記第２の側壁に設けた前記複数の円筒状の突条部と互い違いに前記径方向に並ぶ複数の円筒状の突条部が一体に形成され、
隣接する複数の突条部間に形成されるギャップにより前記ラビリンス構造が形成されている請求項１に記載の遠心ファン。
【請求項３】
前記第１及び第２の側壁の少なくとも一方には、前記ラビリンス構造よりも前記径方向外側の位置に前記側壁を前記軸線方向に貫通し且つ前記ケーシング内に入った水を前記ケーシングの外部に排出するための１以上の水抜き用貫通孔が形成されている請求項１に記載の遠心ファン。
【請求項４】
前記第１及び第２の側壁の少なくとも一方に前記回転軸の周方向に所定の間隔を空けて複数の前記水抜き用貫通孔が形成されている請求項３に記載の遠心ファン。
【請求項５】
前記第１及び第２の側壁の両方に前記１以上の水抜き用貫通孔が形成されている請求項３に記載の遠心ファン。
【請求項６】
前記回転軸の前記一方の方向から前記第１の側壁を見た状態で、前記回転軸を中心にして前記吐出口を含む所定の角度範囲を除く残りの角度範囲内に位置する第１及び第２の側壁の少なくとも一方の部分に前記複数の水抜き用貫通孔が形成されている請求項４に記載の遠心ファン。
【請求項７】
前記１以上の水抜き用貫通孔は、前記吸引口から前記ケーシング内に入った水が、前記吐出口から抜け出ない姿勢で前記遠心ファンが使用されたときに、前記ケーシングの内部に溜まった水を排出できる位置に形成されている請求項１，２または３に記載の遠心ファン。
【請求項８】
前記第１の側壁、前記第２の側壁及び前記周壁の少なくとも一つには、前記吸引口から前記ケーシング内に入った水が、前記吐出口から抜け出ない姿勢で前記遠心ファンが使用されたときに、前記ケーシングの内部に溜まった水を排出するための１以上の水抜き用貫通孔が形成されている請求項１に記載の遠心ファン。
【発明の詳細な説明】
【０００１】
【発明の属する技術分野】
本発明は、駆動源として用いられる電動モータの回転軸の軸線方向の一方向から空気を吸引して軸線方向に直交する方向に風を吐出する遠心ファンに関するものであり、特に防水性能の高い遠心ファンに関するものである。
【０００２】
【従来の技術】
従来、シロッコファンと呼ばれる遠心ファンにおいては、構造が簡単でしかも防水性能の高い遠心ファンはなかった。例えば、特開平１１−１４８４８４号公報に示された遠心ファンでは、防水が必要なステータ部分を樹脂モールドで覆う構造を採用している。
【０００３】
【発明が解決しようとする課題】
しかしながら樹脂モールドでステータ部分を覆う構造を採用すると、樹脂モールドの成形に時間がかかるだけでなく、樹脂モールドの成形に費用がかかるために、ファンの製造コストを下げることができなかった。
【０００４】
本発明の目的は、簡単な構造で、しかも樹脂モールドを用いることなく、防水性能を高めることができる遠心ファンを提供することにある。
【０００５】
本発明の他の目的は、構造が簡単で、しかも防水性能の高い遠心ファンを提供することにある。
【０００６】
本発明の更に他の目的は、取り付け精度が悪い場合でも、ケーシングの内部に溜まった水を遠心ファンの動作に支障を生じさせない程度までケーシングの外部に排出することができる遠心ファンを提供することにある。
【０００７】
本発明の別の目的は、取り付け姿勢に限定されない防水性能の高い遠心ファンを提供することにある。
【０００８】
【課題を解決するための手段】
本発明が改良の対象とする遠心ファンは、電動モータと、インペラとケーシングとを備えている。電動モータは、ステータ及び回転軸を中心にしてステータの外側を回転するロータを有し、ロータが回転軸に固定された底壁部及び該底壁部の外縁部から回転軸の軸線方向に延びる周壁部を有するカップ状部材とカップ状部材の周壁部の内側に固定されてステータのステータ側磁極と対向するロータ側磁極とを有している。またインペラは、電動モータのロータのカップ状部材の外側に固定された固定部と、この固定部に固定され且つ回転軸の径方向に延びるブレード支持体と、モータの回転軸の軸線方向の一方から空気を吸い込み回転軸の径方向に空気を吐出すようにブレード支持体に固定された複数枚のブレードとを備えている。そしてケーシングは、回転軸の軸線方向の一方の方向に向かって開口する吸引口を備えた第１の側壁と、この第１の側壁に対して回転軸の軸線方向の他方の方向に位置し且つ第１の側壁との間に所定の間隔を開けて配置された第２の側壁と、第１及び第２の側壁を連結し且つ第１及び第２の側壁の間にインペラの回転方向に対する接線方向に向かって開口する１つの吐出口にインペラから吐出された空気を導く風路を形成する周壁とを有し、モータ及びインペラを収納する。またモータは、ステータが第２の側壁に対して固定され、ロータのカップ状部材が底壁部を第１の側壁に設けた吸引口側に向けるようにしてケーシング内にモータが配置されている。
【０００９】
本発明は、このような遠心ファンにおいて、ケーシングの第２の側壁及びインペラのブレード支持体の軸線方向に対向するそれぞれの対向壁部の形状を、カップ状部材と第２の側壁との間に形成される空間内に回転軸の径方向外側から水が浸入するのを阻止するためのラビリンス構造を形成できる形状にする。そしてブレード支持体には対向壁部の反対側の位置に複数枚のブレードを取付けている。このようにすることにより従来と比べて外形寸法を大きくすることなく、しかも樹脂モールドを用いることなく、簡単な構造で遠心ファンに所定の防水性能を付与することができる。本発明では、ブレードが取付けられる位置にラビリンス構造を形成するため、ラビリンス構造の長さを長くすることができるだけでなく、ラビリンス構造よりも内側に位置する空間を部品の収納のために有効に利用することができる。
【００１０】
ラビリンス構造の構成は任意であるが、次のような構成を採用してもよい。まず第２の側壁の対向壁部には、軸線方向の一方の方向に向かって突出して且つ回転軸と同心的に配置された複数の円筒状の突条部を一体に形成する。そしてインペラの対向壁部には、軸線方向の他方の方向に向かって突出し、回転軸と同心的に配置され且つ第２の側壁に設けた複数の円筒状の突条部と互い違いに径方向に並ぶ複数の円筒状の突条部を一体に形成する。このような構成にすれば、突条部の数を任意に増やすことにより、隣接する複数の突条部間に形成される連続したギャップ通路によりラビリンス構造を形成して、しかもそのギャップ通路の長さを簡単に長くすることができる。したがって簡単な構造で、防水性能を高めることができる。
【００１１】
前述のラビリンス構造を用いても、ケーシングの内部に徐々に水が溜まり、その溜まった水がラビリンス構造の入り口部分からラビリンス構造を通ってモータ部に浸入する恐れがある。そこでこのような場合に対処するためには、第１及び第２の側壁の少なくとも一方に、ラビリンス構造よりも径方向外側の位置に側壁を軸線方向に貫通し且つケーシング内に入った水をケーシングの外部に排出するための１以上の水抜き用貫通孔を形成する。このような水抜き用貫通孔を形成すると、遠心ファンをどのような姿勢で使用したとしても、ケーシングの内部に溜まった水の液面が水抜き用貫通孔の位置まで達すると、水は水抜き用貫通孔を通してケーシングの外部に流れだす。したがってケーシングの内部に溜まった水が、ラビリンス構造を通ってケーシングの内部に浸入するのを防ぐことができる。また水抜き用貫通孔を越えないケーシング内の水はケーシング内に溜まることになるが、これは特に遠心ファンの動作に影響を与えないので支障がない。なおケーシングの周壁に水抜き用貫通孔を形成しておけば、この周壁に設けた水抜き用貫通孔を通して水はケーシングの外部に自然と排出される。但し周壁に大きな貫通孔を形成すると、インペラから吐出された空気がそこから積極的に漏出して、送風効率を落としたり、騒音の発生原因となる。そのため、周壁に水抜き用貫通孔を形成する場合には、最小限度の大きさと数に限定するのが好ましい。
【００１２】
遠心ファンの使用状態が予め判っていれば、その使用状態に応じて水抜き用貫通孔の位置を定めておけばよい。しかしながら汎用品の遠心ファンでは、ユーザーが遠心ファンをどのような姿勢で使用するのか定かではない。そこで第１及び第２の側壁の少なくとも一方に回転軸の周方向に所定の間隔を空けて複数の水抜き用貫通孔を形成しておくのが好ましい。このようにすると、回転軸を完全な垂直状態にして遠心ファンを使用しない限り、遠心ファンの使用姿勢をさほど気にしなくても、ケーシングの内部に入った水を側壁に設けた水抜き用貫通孔から外部に排出できるので、汎用性を高めることができる。特に、この場合において、第１及び第２の側壁の両方に１以上の水抜き用貫通孔を形成すれば、どのような姿勢で遠心ファン使用しても、モータ部への浸水の問題が発生することはない。
【００１３】
例えば水抜き用貫通孔をケーシングの側壁に設ける場合には、回転軸の一方の方向から第１の側壁を見た状態で、回転軸を中心にして吐出口を含む所定の角度範囲を除く残りの角度範囲内に位置する第１及び第２の側壁の少なくとも一方の部分に複数の水抜き用貫通孔を形成することができる。吐出口を含む所定の角度範囲にある側壁の部分に水抜き用貫通孔を形成してもよいが、このような位置に水抜き用貫通孔を形成しなくても、通常は、吐出口から水がケーシングの外部に流れ出てしまうので、特にこのような位置に水抜き用貫通孔を形成する必要はない。このような観点から見ると、１以上の水抜き用貫通孔は、吸引口からケーシング内に入った水が、吐出口から抜け出ない姿勢で遠心ファンが使用されたときに、ケーシングの内部に溜まった水を排出できる位置に形成すればよいことになる。すなわちケーシングの第１の側壁、第２の側壁及び周壁の少なくとも一つに、吸引口からケーシング内に入った水が、吐出口から抜け出ない姿勢で遠心ファンが使用されたときに、ケーシングの内部に溜まった水を排出するための１以上の水抜き用貫通孔を形成すればよい。
【００１４】
【発明の実施の形態】
以下図面を参照して本発明の実施の形態の一例を詳細に説明する。図１は，本発明の遠心ファンの一実施の形態の正面図であり、図２は図１のII−II線断面図である。
【００１５】
この実施の形態の遠心ファン（シロッコファン）は、電動モータ１と、電動モータ１によって回転させられるインペラ３と、電動モータ１及びインペラ３を収納するケーシング５とを備えている。電動モータ１は、ステータ７及び回転軸９を中心にしてステータ７の外側を回転するロータ１１を有している。ステータ７は、回転軸９を回転自在に支持する２つのボールベアリング１３及び１５が嵌合されて保持される金属製のベアリングホルダ１７の外側に嵌合されて、このベアリングホルダ１７の外側に配置されたステータコア１９と、このステータコア１９に嵌合された絶縁樹脂製のインシュレータ２１と、このインシュレータ２１を間に介してステータコア１９の複数の突極部に巻装されたステータ巻線２３とから構成されている。ステータ巻線２３は接続導体２５を介して回路基板２７の図示しない回路パターンに電気的に接続されている。回路基板２７には、ステータ巻線２３に励磁電流を流すための駆動回路が実装されている。
【００１６】
ロータ１１は、回転軸９に固定された絶縁性材料からなる筒状のボス２９と、このボス２９を介して回転軸９に固定された導磁性材料からなるカップ状部材
３１と、このカップ状部材３１に固定された複数の永久磁石からなるロータ側磁極３３とから構成される。カップ状部材３１は、ボス２９が貫通する貫通孔を中心部に有する底壁部３１ａとこの底壁部３１ａの外縁部から回転軸９の軸線方向に延びる筒状の周壁部３１ｂとを有している。ロータ側磁極３３を構成する複数の永久磁石は，カップ状部材３１の周壁部３１ｂの内周面上に接合されて、ステータ７のステータ側磁極を構成するステータコア１９の磁極面と対向する。
【００１７】
またインペラ３は、電動モータ１のロータ１１のカップ状部材３１の外側に固定された固定部３５と、この固定部３５に固定され且つ回転軸の径方向に延びるブレード支持体３７と、モータ１の回転軸９の軸線方向の一方（紙面の右側または前方）から空気を吸い込み回転軸９の径方向に空気を吐出すようにブレード支持体３７に固定された複数枚のブレード３９とを備えている。インペラ３は、合成樹脂により一体成形されている。固定部３５は、カップ状部材３１の周壁部３１ｂ及びこの周壁部３１ｂと底壁部３１ａとの間に形成された環状の段部３１ｃとに嵌合されて、カップ状部材３１に対して接合されたフランジ付の筒形状を有している。ブレード支持体３７は、一端がカップ状部材３５と一体に形成され回転軸９の軸線方向の他方の方向に向かうに従って径寸法が大きくなる切頭円錐状筒部３７ａと、この切頭円錐状筒部３７ａの他端と一体に形成されて回転軸９の径方向に延び且つ複数枚のブレード３９が取付られる環状のブレード取付部３７ｂとを有している。ブレード取付部３７ｂの回転軸９の軸線方向の他方（紙面の左側または後方）側に位置する壁部（後述するケーシング５の第２の側壁４７ａと対向する対向壁部）には、軸線方向の他方の方向に向かって突出し、回転軸９と同心的に配置されて径方向に並ぶ３個の円筒状の突条部４１ａ〜４１ｃが一体に形成されている。
【００１８】
モータ１とインペラ３とを内部に収納するケーシング５は、二つ割りの第１及び第２のケーシング半部４５及び４７が組み合わされて構成されている。第１のケーシング半部４５は、回転軸９の軸線方向の一方の方向（前方）に向かって開口する吸引口４６を備えた第１の側壁４５ａと、第１の側壁４５ａの外周部から回転軸９の軸線方向の他方の方向（後方）に向かって延びる第１の周壁半部４５ｂとから構成されている。また第２のケーシング半部４７は、第１の側壁４５ａに対して回転軸９の軸線方向の他方の方向に位置し且つ第１の側壁４５ａとの間に所定の間隔を開けて配置された第２の側壁４７ａと、第２の側壁４７ａの外周部から回転軸９の軸線方向の一方の方向（前方）に向かって延びる第２の周壁半部４７ｂとから構成されている。第１及び第２の周壁半部４５ｂ及び４７ｂは、それぞれの端部にその周縁部に沿って連続する段部を有しており、これらの段部が嵌合されて、第１及び第２の周壁半部４５ｂ及び４７ｂにより第１及び第２の側壁４５及び４７を連結する周壁４９が構成されている。この周壁４９は、第１及び第２の側壁４５ａ及び４７ａを連結し、周壁４９と第１及び第２の側壁４５ａ及び４７ａとによって囲まれた空間内に、インペラ３の回転方向に対する接線方向に向かって開口する１つの吐出口５１までインペラ３から吐出された空気を導く風路５３を形成する。図１に示すように、第２のケーシング半部４７にはファンを取付ける際に使用するネジが貫通する貫通孔５５を備えたフランジ部５７〜６１が一体に設けられている。そしてフランジ部６１には、モータ１から延び出る給電用のリード線６３を引っ掛けるリード線引っ掛け部６５が形成されている。
【００１９】
第２のケーシング半部４７の第２の側壁４７ａには、回転軸９の軸線方向の一方の方向に向かって突出し且つ回転軸９と同心的に配置された３個の円筒状の突条部４８ａ〜４８ｃが一体に形成されている。前述のインペラ３の対向壁部に設けた円筒状の突条部４１ａ〜４１ｃと第２の側壁４７ａに設けた円筒状の突条部４８ａ〜４８ｃは、互い違いに且つ相互に間隔をあけて径方向に並んでいる。このように複数の突条部４１ａ〜４１ｃと４８ａ〜４８ｃとの間に形成される連続したジグザグ状のギャップｇにより、カップ状部材３１と第２の側壁４７ａとの間に形成される空間内に回転軸９の径方向外側から水が浸入するのを阻止するためのラビリンス構造６７が形成されている。
【００２０】
この実施の形態では、第１及び第２の側壁４５ａ及び４７ａの両方に、ラビリンス構造６７よりも回転軸９の径方向外側の位置に側壁４５ａ及び４７ａを軸線方向に貫通し且つケーシング５内に入った水をケーシング５の外部に排出するための複数の水抜き用貫通孔６９ａ〜６９ｇ及び７１を形成している。第２の側壁４７ａにも第１の側壁４５ａに形成した水抜き用貫通孔６９ａ〜６９ｇと同様の数の水抜き用貫通孔７１が形成されている。これら複数の水抜き用貫通孔６９ａ〜６９ｇ等は、回転軸９の周方向に所定の間隔をあけて、第１及び第２の側壁４５ａ及び４７ａに形成されている。具体的には、回転軸の周方向に約１５°間隔で、複数の水抜き用貫通孔６９ａ〜６９ｇ等が形成されている。
【００２１】
例えば、図１に示す状態で、図１の紙面の上下が垂直方向となり、紙面と直交する方向が水平方向になる姿勢で遠心ファンを配置するものと仮定する。このように配置した状態では、吸引口４６から入った水は、ケーシング５の内部に形成された風路５３内の下部領域に溜まる。この風路５３内に溜まった水の液面が図１の状態において水抜き用貫通孔６９ｃの位置に達すると、水抜き用貫通孔６９ｃを通して水はケーシング５の外部に排出されることになる。そのため、ケーシング５内に水が溜まったとしても、電動モータ１が配置されている位置まで水が浸入することはない。またこの例では、ラビリンス構造６７を有しているため、風路５３内を風と共に移動する水が、インペラ３とケーシング５の第２の側壁４７ａとの間に形成された隙間から、電動モータ１が位置する空間内に浸入するのを確実に防ぐことができる。
【００２２】
この例においては、回転軸９の一方の方向（吸引口４６側）から第１の側壁４５ａを見た状態で、回転軸９を中心にして吐出口５１を含む所定の角度範囲θ（本実施の形態では機械角で９０度の角度範囲）を除く残りの角度範囲（３６０°−θ）内に位置する第１及び第２の側壁４５ａ及び４７ａの両方の部分にそれぞれ複数の水抜き用貫通孔６９ａ〜６９ｇ及び７１を形成している。吐出口５１を含む所定の角度範囲θ内にある第１及び第２の側壁４５ａ及び４７ａの部分に水抜き用貫通孔を形成してもよいが、このような位置に水抜き用貫通孔を形成しなくても、この領域内に水が溜まる可能性のある姿勢で遠心ファンを使用した場合には、ある程度水が溜まると、水は吐出口５１から流れ出てしまうので、この角度範囲θ内にあえて水抜き用貫通孔を形成しておく必要はない。
【００２３】
このような観点から見ると、１以上の水抜き用貫通孔は、吸引口４６からケーシング５内に入った水が、吐出口５１から抜け出ない姿勢で遠心ファンが使用されたときに、ケーシング５の内部に溜まった水を排出できる位置に形成すればよいことになる。すなわちケーシング５の第１の側壁４５ａ、第２の側壁４７ａ及び周壁４９の少なくとも一つに、吸引口４６からケーシング５内に入った水が、吐出口５１から抜け出ない姿勢で遠心ファンが使用されたときに、ケーシング５の内部に溜まった水を排出するための１以上の水抜き用貫通孔を形成すればよい。なおケーシング５の周壁４９に１以上の水抜き用貫通孔を形成する場合には、図２に破線で示したように、水抜き用貫通孔７３はできるだけ、第２の側壁４７ａに近い位置に形成するのが好ましい。なぜならば周壁４９に水抜き用貫通孔を形成する場合に、あまり周壁４９の中心に近い位置に水抜き用貫通孔を形成すると、インペラ３から回転軸９の径方向に吐出された空気が、比較的大量に周壁４９に形成した水抜き貫通孔から漏出してしまうおそれがあるからである。
【００２４】
遠心ファンの使用状態が予め判っていれば、その使用状態に応じて水抜き用貫通孔の位置を定めておけばよい。しかしながら汎用品の遠心ファンでは、ユーザーが遠心ファンをどのような姿勢で使用するのか定かではない。そこで第１及び第２の側壁４５ａ及び４７ａの少なくとも一方に回転軸９の周方向に所定の間隔を空けて複数の水抜き用貫通孔６９ａ〜６９ｇ及び７１を形成しておくのが好ましい。このようにすると、回転軸９を完全な垂直状態にして遠心ファンを使用しない限り、遠心ファンの使用姿勢をさほど気にしなくても、ケーシング５の内部に入った水を側壁に設けた水抜き用貫通孔から外部に排出できるので、汎用性を高めることができる。特に、この場合において、第１及び第２の側壁４５ａ及び４７ａの両方に１以上の水抜き用貫通孔を形成すれば、どのような姿勢で遠心ファンを取付けて使用しても、ほぼ電動モータ１内への浸水の問題が発生することはない。
【００２５】
本実施の形態では、ラビリンス構造に加えて水抜き用貫通孔を設ける構成を採用しているが、本発明の遠心ファンでは、少なくともラビリンス構造を備えていればよい。また上記実施の形態では、ケーシング５の第１及び第２の側壁４５ａ及び４７ａの両方に複数の水抜き用貫通孔を形成したが、１以上の水抜き用貫通孔を第１及び第２の側壁４５ａ及び４７ａの少なくとも一方に形成すればよい。またケーシング５の周壁４９にだけ、水抜き用貫通孔を形成するようにしてもよい。
【００２６】
【発明の効果】
以上のとおり、本発明によれば、従来と比べて外形寸法を大きくすることなく、しかも樹脂モールドを用いることなく、簡単な構造で遠心ファンに所定の防水性能を付与することができる利点がある。また本発明では、ブレードが取付けられる位置にラビリンス構造を形成するため、ラビリンス構造の長さを長くすることができるだけでなく、ラビリンス構造よりも内側に位置する空間を部品の収納のために有効に利用することができる利点がある。
【図面の簡単な説明】
【図１】  本発明の遠心ファンの一実施の形態の正面図である。
【図２】  図１のII−II線断面図である。
【符号の説明】
１  電動モータ
３  インペラ
５  ケーシング
７  ステータ
９  回転軸
１１  ロータ
３１  カップ状部材
３５  固定部
３７  ブレード支持体
３７ａ  ブレード取付部
３９  ブレード
４１ａ〜４１ｃ  突条部
４５ａ  第１の側壁
４７ａ  第２の側壁
４９  周壁
４８ａ〜４８ｃ  突条部
５１  吐出口
５３  風路
６７  ラビリンス構造
６９ａ〜６９ｇ，７１，７３  水抜き用貫通孔
【図１】
0003694224.tif 000002
【図２】
0003694224.tif 000003